(57)【要約】【課題】  サブウェイトに係る構成を簡素にし、製作、保守に係る経費を節減したサブウェイト付筋力トレーニング装置を提供すること。【解決手段】  筋力トレーニング装置において、被運動者の動きに負荷を掛ける負荷装置（３）に、適宜載置・撤去して負荷を加減するサブウェイト（１７）が設けられ、前記サブウェイト（１７）には、延長方向の中央から縦方向に内部に凹ませて、中央切り欠き（２０）が形成され、前記中央切り欠き（２０）内の左右に、横方向に凹ませて、掛け止め用の左・右小凹部（１８ａ）・（１８ｂ）が形成され、前記サブウェイト（１７）は、平面中央辺りが拡幅であり、平面中央辺りから左右端部に向かって漸々に細幅に形成されるサブウェイト付筋力トレーニング装置である。【選択図】      図１
2005334215.tif 000002
【特許請求の範囲】
【請求項１】
筋力トレーニング装置において、被運動者の動きに負荷を掛ける負荷装置（３）に、適宜載置・撤去して負荷を加減するサブウェイト（１７）が設けられ、
前記サブウェイト（１７）には、延長方向の中央から縦方向に内部に凹ませて、中央切り欠き（２０）が形成され、前記中央切り欠き（２０）内の左右に、横方向に凹ませて、掛け止め用の左・右小凹部（１８ａ）・（１８ｂ）が形成されることを特徴とするサブウェイト付筋力トレーニング装置。
【請求項２】
筋力トレーニング装置において、被運動者の動きに負荷を掛ける負荷装置（３）に、適宜載置・撤去して負荷を加減するサブウェイト（１７）が設けられ、
前記サブウェイト（１７）は、平面中央辺りが拡幅であり、平面中央辺りから左右端部に向かって漸々に細幅に形成されることを特徴とするサブウェイト付筋力トレーニング装置。
【請求項３】
サブウェイト（１７）の左小凹部（１８ａ）又は右小凹部（１８ｂ）を嵌めて該サブウェイト（１７）を引っ掛け収納するフック（１６）が、負荷装置（３）の外側壁の適宜位置に、横方向に突出して設けられることを特徴とする請求項１記載のサブウェイト付筋力トレーニング装置。
【発明の詳細な説明】
【技術分野】
【０００１】
本発明は、筋力のパワーアップを図る筋力トレーニング装置において、サブウェイトを付したサブウェイト付筋力トレーニング装置に関するものである。
【背景技術】
【０００２】
従来装置は、ウェイトフレーム、ガイドロッド、主ウェイトブロック、主ウェイトブロック透孔、連結棒、ウェイト連結具、第２のガイドロッド、副ウェイトブロック、索条、操作部等からなるトレーニング装置用荷重負荷装置において、背部、ピン、副ウェイトブロック透孔を構成してなるトレーニング装置用荷重負荷装置が開示されている。
【０００３】
前記従来装置では、主ウェイトブロックに副ウェイトブロックを加算する構成であるから、負荷重量の設定を細かくでき、効果的な筋肉鍛錬ができる。しかし、副ウェイトブロックを移動可能に備える構成が必要であるから、装置が嵩張り、そして、経費も大となる等の不都合があった。
【特許文献１】特許３０５４３６６号公報
【発明の開示】
【発明が解決しようとする課題】
【０００４】
解決しようとする問題点は、副ウェイトブロックを装着する構成が嵩張りまたその経費も大となる等の点である。
【課題を解決するための手段】
【０００５】
本発明の目的は、サブウェイトに係る構成を簡素にし、製作、保守に係る経費を節減したサブウェイト付筋力トレーニング装置を提供することにある。
即ち、本発明は、筋力トレーニング装置において、被運動者の動きに負荷を掛ける負荷装置（３）に、適宜載置・撤去して負荷を加減するサブウェイト（１７）が設けられ、前記サブウェイト（１７）には、延長方向の中央から縦方向に内部に凹ませて、中央切り欠き（２０）が形成され、前記中央切り欠き（２０）内の左右に、横方向に凹ませて、掛け止め用の左・右小凹部（１８ａ）・（１８ｂ）が形成されることを特徴とするサブウェイト付筋力トレーニング装置である。
又、前記サブウェイト（１７）は、平面中央辺りが拡幅であり、平面中央辺りから左右端部に向かって漸々に細幅に形成される。
更に、サブウェイト（１７）の左小凹部（１８ａ）又は右小凹部（１８ｂ）を嵌めて該サブウェイト（１７）を引っ掛け収納するフック（１６）が、負荷装置（３）の外側壁の適宜位置に、横方向に突出して設けられる。
【発明の効果】
【０００６】
本発明に係るサブウェイト１７は、メインウェイト１９に適宜数載せ又は撤去するものであり、又、サブウェイト１７には、延長方向の中央から縦方向に内部に凹ませて、中央切り欠き２０が形成され、前記中央切り欠き２０内の左右に、横方向に凹ませて、掛け止め用の左・右小凹部１８ａ・１８ｂが形成される。
【０００７】
この構成によれば、メインウェイト１９にサブウェイト１７を適宜数付加し、筋力トレーニングに係る付加荷重を細かく設定でき、好都合である。
又、サブウェイト１７はメインウェイト１９に載せるだけであり、特別の装置を設けないので、装置は嵩張らず、製作経費、保守経費等を安くでき、好都合である。
【０００８】
又、サブウェイト１７に左・右小凹部１８ａ・１８ｂが設けられているので、使用しないサブウェイト１７を適宜な細材に掛止でき、又、左・右小凹部１８ａ・１８ｂに細材が嵌まる為サブウェイト１７は外れず落下せず、好都合である。
【０００９】
本発明に係るサブウェイト１７は、平面中央辺りが拡幅であり、平面中央辺りから左右端部に向かって漸々に細幅に形成される。
【００１０】
この構成によれば、サブウェイト１７は
左右端部に向かって漸々に細幅に形成されているので、介助者はサブウェイト１７を掴み易く、好都合である。
【００１１】
本発明は、サブウェイト１７の左・右小凹部１８ａ・１８ｂの何れかを嵌めて該サブウェイト１７を引っ掛け収納するフック１６が、負荷装置３の外側壁の適宜位置に、横方向に突出して設けられる。
【００１２】
この構成によれば、掛け方に付いてはサブウェイト１７の左・右小凹部１８ａ・１８ｂをフック１６に嵌めることにより、サブウェイト１７を外れないように掛け収納できる。
フック１６の位置に付いては負荷装置３にフック１６を設けたので、使用しないサブウェイト１７をフック１６に容易に掛止でき、好都合である。
又、フック１６に掛止されたサブウェイト１７を取ってメインウェイト１９に容易に載せることができ、好都合である。
【発明を実施するための最良の形態】
【００１３】
本発明のサブウェイト付筋力トレーニング装置を用いて、被訓練者は、筋力のパワーアップを図る。被訓練者は、入力装置２に向かって筋力を発動し、該入力装置２を動かす。負荷装置３は、入力装置２の移動に対して重力負荷を掛ける。
【００１４】
ウェイト６の構成要素であるメインウェイト１９は、フレーム５に設けられたガイドロッド７に外嵌して昇降可能に保持され、入力装置２に連動して昇降する。
【００１５】
ウェイト６の構成要素であるサブウェイト１７は、メインウェイト１９に適宜載置して負荷を追加する。前記サブウェイト１７には、平板状物の上縁の中央から縦方向に内部に凹ませて、中央切り欠き２０を形成する。平板状物における前記中央切り欠き２０内の左右に、横方向に凹ませて、掛け止め用の左・右小凹部１８ａ・１８ｂを形成する。
【００１６】
サブウェイト１７は、平面中央辺りが拡幅であり、平面中央辺りから左右端部に向かって漸々に細幅に形成される。
【００１７】
フレーム５の外側壁にフック１６を横方向に突出して設ける。フック１６に、サブウェイト１７の左・右小凹部１８ａ・１８ｂの何れかを外嵌して、該サブウェイト１７をフック１６に引っ掛け収納する。
【実施例１】
【００１８】
図１〜４に本発明の実施例１を示す。
本発明のサブウェイト付筋力トレーニング装置１の実施例１として股関節運動器を示す。実施例１を用いて、被運動者は下肢を開閉して、股関節を外転する。実施例１は、被運動者が力を加えて動かす入力装置２と、該入力装置２に負荷を掛ける負荷装置３とからなる。図１〜３に示す実施例１は股関節を外転する時に負荷荷重が掛かるようにセッティングされている。
【００１９】
前記負荷装置３は、入力装置２と連結枠４で連結されており、フレーム５と、ウェイト６と、ウェイト６を昇降可能に保持するガイドロッド７と、ウェイト６に繋がる索体８とからなる。
【００２０】
負荷装置３のウェイト６は、索体８の先端に止着される。索体８の基端は入力装置２の負荷プーリー９に止着される。入力装置２に筋力を加えると前記索体８は引かれ、筋力を緩めると索体８は緩む。ウェイト６は前記索体８に引かれて上昇し、索体８の緩みに伴ない下降するものである。
【００２１】
負荷装置３は、入力装置２の椅子部１１の前方に立設され、椅子部１１の基枠１２に連結枠４で連結固定される。入力装置２のパッド１４が左右に動くと、アーム１５が左右に円弧状に動き、右アーム１５ｂと連動する負荷プーリー９が回動し、索体８が往復移動し、ウェイト６が上下に移動する。
【００２２】
ウェイト６は、メインウェイト１９とサブウェイト１７からなり、メインウェイト１９は、平面視同形の複数個でなる平板状の錘であり、前記ガイドロッド７に外嵌して昇降可能に設けられる。
【００２３】
図４に示すサブウェイト１７は、操作者によってメインウェイト１９上に適宜個数載置して荷重負荷を加減調節するものである。即ち、操作者によってメインウェイト１９上にサブウェイト１７を適宜個数載置して荷重負荷を追加し、又は、メインウェイト１９からサブウェイト１７を適宜個数降ろし荷重負荷を減ずるものである。前記サブウェイト１７には、平板状物の上縁の中央から縦方向に内部に凹ませて、中央切り欠き２０が形成される。
【００２４】
前記平板状物における前記中央切り欠き２０内の左右に、横方向に凹ませて、掛け止め用の左・右小凹部１８ａ・１８ｂが形成される。サブウェイト１７には、平板状物の左・右端縁から横方向に内部に凹ませて、左・右凹部２１ａ・２１ｂが付加形成される。
【００２５】
サブウェイト１７は、平面中央辺りが拡幅であり、平面中央辺りから左右端部に向かって漸々に細幅に形成される。
【００２６】
サブウェイト１７はメインウェイト１９上に適宜数載せ細かい負荷調節をするものであり、サブウェイト１７の１セットは、重量が、１単位のもの４個と５単位のもの１個との計５個でなり、サブウェイト１７の各個は平面視同形である。前記１単位は具体的には０．５Ｋｇである。負荷装置３の外周はカバー１０で囲われる。
【００２７】
負荷装置３のフレーム５の外側壁の適宜位置に、横方向に突出してフック１６が設けられる。フック１６は、サブウェイト１７の左・右小凹部１８ａ・１８ｂの何れかを嵌めて該サブウェイト１７を引っ掛け収納するものである。
【００２８】
入力装置２は、被運動者が座る椅子部１１と、被運動者の足を支持するアーム１５と、被運動者の大腿側部に当接されアーム１５に支持されるパッド１４と、パッド１４の動きを索体８に連結する負荷機構２２とからなる。
【００２９】
椅子部１１は、被運動者が座るものであって、基枠１２と、脚枠２３と、座部２４と、背凭れ２５と、取っ手２６と、ステップ台２７とからなる。座部２４の下方に負荷機構２２が設けられる。
【００３０】
アーム１５は、座部２４の下位置から前方向（＝被運動者の足の方向）に延設される。アーム１５は、左右足に装着する左・右アーム１５ａ・１５ｂで構成される。
【００３１】
アーム１５は、座部２４の下方に位置するアーム基部２８と、アーム基部２８から延設される取付枠２９と、取付枠２９に延設されるアーム先部３０とから構成される。
【００３２】
アーム１５の基端にはアーム支軸３１が設けられ、アーム１５の先端には抜け止め具３２が設けられる。
アーム１５の先部にはスライド筒３３がスライド可能に外嵌され、スライド筒３３の先部には被運動者の足裏を受け止める足受け３４が水平方向に突設され、スライド筒３３の基部には被運動者の足後側に当てがう足後側当て３５が設けられる。
【００３３】
スライド筒３３の適宜位置には該スライド筒３３の摺動を固定する固定具３６が設けられる。
【００３４】
パッド１４は、被運動者の大腿下方の外側部に当接するもので取付枠２９にネジ３７で取り付けられる。
【００３５】
負荷機構２２は、アーム支軸３１の下端に設けられる負荷プーリー９と、アーム支軸３１の中間部位に設けられ左右のアーム支軸３１を連動させる連動プーリー３８とからなる。
左アーム１５ａと右アーム１５ｂは互いに回動方向が反対になるように、連動プーリー３８の相互間に交差状に紐３９が掛けられる。負荷プーリー９に索体８の基端が止着される。アーム１５とアーム支軸３１と負荷プーリー９とは連動する。
【００３６】
図１中、１３は索体カバー、４１は上限ストッパー、４２は脚、４３は下プーリー、４４は上プーリー、４５は中間プーリーである。
【００３７】
実施例１を使用する際は、先ず、被運動者は座部２４に腰掛ける。次に、スライド筒３３を摺動させ適宜位置に固定し、スライド筒３３に設けられた足受け３４へ被運動者は足裏を載せる。被運動者は左右大腿部の各外側を左・右パッド１４ａ・１４ｂに当てがう。
【００３８】
上記セッティングをした後、被運動者は大腿を開く方向に力を入れて大腿を開き、股関節の外転運動をする。外転運動時に、パッド１４を、椅子部１１の中央から外方向へ動かし（＝往動）、動かした後は逆方向に戻す（＝復動）。
【００３９】
上記往動時にはウェイト６が上昇し、股関節の外転運動に係る筋群に荷重負荷が掛かる。復動時にはウェイト６が下降し大腿を速やかに閉脚すれば股関節の外転運動に係る筋群に荷重負荷は掛からない。この往復動を複数回繰り返し行なう。往動時にはその動きに連動してウェイト６が上昇し、股関節の外転運動に係る筋群に荷重負荷が掛かる。この負荷荷重をもって筋力増強運動を行なう。
【００４０】
ウェイト６は複数個設けられており、複数個のウェイト６はメインウェイトピン４０により任意に索体８へ連結、解除できる。ウェイト６の連結個数を増やし被運動者が入力した時のウェイト６の上昇個数を増せば、被運動者への重力抵抗は大きくなる。
【００４１】
又、ウェイト６の連結個数を減らし被運動者が入力した時のウェイト６の上昇個数を減らせば、被運動者への重力抵抗は小さくなる。ウェイト６の上昇個数を増減して、重力抵抗の大きさを適宜変更し、重量抵抗を調節する。
【００４２】
例えばメインウェイトは１枚が５Ｋｇの場合、荷重負荷を細かく調節する時には、１単位（＝０．５Ｋｇ）のもの４個、５単位（＝２．５Ｋｇ）のもの１個とでなるサブウェイト１７を、メインウェイト１９上に適宜数載せて、０．５Ｋｇから４．５Ｋｇの調節を行なう。これらのサブウェイト１７の構成によれば、負荷を１単位間隔に細かく変更設定できる。
サブウェイト１７をメインウェイト１９上に載せた時、サブウェイト１７の中央の中央切り欠き２０の中に索体８が位置し、左・右凹部２１ａ・２１ｂの中には、左右のガイドロッド７が位置する。
【００４３】
メインウェイト１９が動いても左・右凹部２１ａ・２１ｂの中に左右のガイドロッド７があるから、サブウェイト１７はガイドロッド７に移動を阻止され、該サブウェイト１７はメインウェイト１９から転落しない。
【００４４】
非使用のサブウェイト１７は、フレーム５の外側壁に横方向に突出して設けられたフック１６に、該サブウェイト１７の左小凹部１８ａ又は右小凹部１８ｂを外嵌して、引っ掛け収納する。
【００４５】
サブウェイト１７は、平面中央辺りが拡幅であり、平面中央辺りから左右端部に向かって漸々に細幅に形成されており、掴み易く、落し難い。被運動者が、運動を終了し椅子部１１から降りる際には、足をステップ台２７上に戻し、椅子から降りる。
【産業上の利用可能性】
【００４６】
サブウェイト１７に係る構成を簡素にし、製作経費及び保守経費を低減したサブウェイト付筋力トレーニング装置に適用できる
【図面の簡単な説明】
【００４７】
【図１】本発明の実施例１の平面図である。
【図２】本発明の実施例１の左側面図である。
【図３】本発明の実施例１の正面図である。
【図４】本発明の実施例１に係るサブウェイトの平面図である。
【符号の説明】
【００４８】
２  入力装置
３  負荷装置
１６  フック
１７  サブウェイト
１８ａ  左小凹部
１８ｂ  右小凹部
２０  中央切り欠き
【図１】
2005334215.tif 000003
【図２】
2005334215.tif 000004
【図３】
2005334215.tif 000005
【図４】
2005334215.tif 000006